(57)【要約】【課題】重量が軽く携行に便利であり、かつ使用後のクリーニングなどのケア（手入れ）がしやすいという長所を有する剣道具などの格技・スポーツ競技や警備に使用される防具を提供すること。【解決手段】繊維糸織布部と非繊維糸織布部とからなる防具において、該繊維糸織布部を主に構成する繊維を合成繊維として構成してなることを特徴とする防具であり、更に好ましくは、繊維糸織布部を構成する少なくとも一部の合成繊維が、中空率２５％〜６０％のポリアミド系中空合成繊維であるものであり、更に好ましくは、合成繊維が、単繊維繊度１〜１０デシテックス、繊維長２０〜１２０ｍｍの短繊維であり、該短繊維が構成する合成繊維糸２９．５〜５９０ｔｅｘ番手（２０〜１英式綿番手）の紡績糸である防具である。【選択図】図１
2005000477.tif 000002
【特許請求の範囲】
【請求項１】
繊維糸織布部と非繊維糸織布部とからなる防具において、前記繊維糸織布部を主に構成する繊維を合成繊維として構成してなることを特徴とする防具。
【請求項２】
繊維糸織布部を構成する少なくとも一部の合成繊維が、中空率２５％〜６０％のポリアミド系中空合成繊維であることを特徴とする請求項１記載の防具。
【請求項３】
合成繊維が、単繊維繊度１〜１０デシテックス、繊維長２５〜１２０ｍｍの短繊維であり、該短繊維が構成する合成繊維糸が２９．５〜５９０ｔｅｘ番手（２０〜１英式綿番手）の紡績糸であることを特徴とする請求項１または２記載の防具。
【発明の詳細な説明】
【０００１】
【発明の属する技術分野】
本発明は、防具に関する。更に詳しくは、重量が軽く携行に便利であり、かつ使用後のクリーニングなどのケア（手入れ）がしやすいという長所を有する防具に関するものであり、例えば、剣道における面、小手、たれ、胴などの一般に剣道具と呼ばれる防具、フェンシングや、アメリカンフットボール、ホッケーまたは空手などの各種スポーツ競技における面や小手などの防具、あるいは警備や警護などの業務に関わる人たちが業務に使用する防具類に関する。
【０００２】
本発明において、「防具」とは、いわゆる「防着」（防護衣服）とは異なる概念のものであり、一般的には「防着」が「着用」されるものであるのに対して、本発明でいう「防具」は、使用者においては衣服を着用したうえで、更に該防具を「装備」もしくは「装着」して使用するという表現が当てはまる、特に防護のための道具類・装備類をいうものである。
【０００３】
【従来の技術】
従来、上述した剣道具などの防具は、繊維糸からなる織布が用いられて形成された部分（以下「繊維糸織布部」という）と、金属棒や皮革などからなる「繊維糸織布部以外の部分」（以下、「非繊維糸織布部」という）からなる。
【０００４】
繊維糸織布部とは、繊維糸が織られて構成された織布を用いた部分であり、一方、非繊維糸織布部とは、皮革や金属などの素材で構成されている、前記の繊維糸織布部以外の部分をいうものである。
【０００５】
例えば、剣道具としての「面」１においては、図１に示したように、例えばチタン金属などによる前面覆い部２とその周囲の硬いなめし皮からなる縁部３や、頭部全体を覆ってカバーする繊維糸織布部４などからなる。また、図２の小手５で言えば、セーム皮などからなる手の掌部６を構成する部分や、繊維糸織布からなる腕カバー部７からなるものである。
【０００６】
従来のこのような防具においては、一般に重くて携行に不便であることや、使用した後、汗を多量に吸っていたりしているなどに拘わらず、洗濯などのクリーン・ケアなどを簡単に行うことが一般に難しく（洗濯は、漬け洗いで行うのが一般的なものであるが、風乾してもなかなか乾きにくく、頻繁に使用する向きには向かなかった）、使用者は防具が長年の汗等を吸って特有の臭いを発するのを我慢して使用するなどの問題があったものである。
【０００７】
このような問題は、剣道具の面などに代表され、重たくかつ特有の臭いがあるというものであった。このような問題を解決せんとして、特に、抗菌・防臭処理をした繊維布を用いた防具類などが提案されている（特許文献１、２）。
【０００８】
【特許文献１】特開平５−２９３２０４号公報
【０００９】
【特許文献２】特開平７−１００２３８号公報
【００１０】
【発明が解決しようとする課題】
一方、上述したような不都合点の一因は、一つは繊維糸織布部分に綿繊維（コットン）素材を使用していたことにあった。
【００１１】
この綿繊維（コットン）糸織布は、防具としての機能をより発揮する上で、該織布部においてある程度全体として厚味やボリューム・硬さなどを出すことが必要であり、内部に反毛（たんもう）と呼ばれる綿状繊維を介在させて刺し子柄状に針刺し（手刺しやミシン刺し）して全体を締めて密度や硬さアップを図るなどというようにして使用されていた。
【００１２】
綿繊維（コットン）素材をこのような形態で使用すると、特に重いことや乾燥しにくいなどの問題があるものであった。従って、抗菌処理や防臭処理をした織布を使っても根本的な解決には至らなかった。
【００１３】
本発明の目的は、上述した点に鑑み、重量が軽く携行に便利であり、かつ使用後のクリーニングなどのケア（手入れ）がしやすいという長所を有し、これからの時代に好適な防具を提供することにある。
【００１４】
【課題を解決するための手段】
上述した目的を達成する本発明の防具は、以下（１）〜（３）の構成からなるものである。
（１）繊維糸織布部と非繊維糸織布部とからなる防具において、前記繊維糸織布部を主に構成する繊維を合成繊維として構成してなることを特徴とする防具。
（２）繊維糸織布部を構成する少なくとも一部の合成繊維が、中空率２５％〜６０％のポリアミド系中空合成繊維であることを特徴とする上記（１）記載の防具。
（３）合成繊維が、単繊維繊度１〜１０デシテックス、繊維長２５〜１２０ｍｍの短繊維であり、該短繊維が構成する合成繊維糸が２９．５〜５９０ｔｅｘ番手（２０〜１英式綿番手）の紡績糸であることを特徴とする上記（１）または（２）記載の防具。
【００１５】
【発明の実施の形態】
以下、更に詳しく本発明の防具について説明をする。
【００１６】
本発明にかかる防具は、繊維糸織布部と非繊維糸織布部とからなる防具において、前記繊維糸織布部を主に構成する繊維を合成繊維として構成してなるものである。
【００１７】
かかる構成をとることにより、該合成繊維糸織布が木綿（コットン）繊維糸織布と比べて、一般に軽量（ナイロン繊維の比重：約１．１４、ポリエステル繊維の比重：約１．３８、木綿（コットン）繊維の比重：約１．５４）でかつ強度も大きく、全体としても軽く携行に負担とならず、また合成繊維の良好なウォッシャブル性、良好な速乾性を有することにより、洗濯も頻繁に数多くできるものとなる。洗濯法自体は、従来から一般的に行われている漬け洗い方式で良いが、乾燥が早く、クリーン・ケアが簡易なのであり、その結果、全体として軽くかつ衛生面でも良好な防具が実現されるのである。
【００１８】
本発明において用いられ得る合成繊維は、特に限定されないが、ウォッシャブル性と速乾性を良好に有する点から、ポリアミド系合成繊維、あるいはポリエステル系合成繊維であることが好ましい。
【００１９】
繊維糸織布部を構成する少なくとも一部の合成繊維は、中空率２５％〜６０％の中空合成繊維であることがより軽量化を達成する上で望ましく、更に、ポリアミド系合成繊維の場合は、より繊維比重が小さいので中空繊維で構成するとより相乗的に軽量化効果を発揮できるので好ましい。
【００２０】
また、中空繊維を使用すると、衝撃を該繊維の変形などによって吸収することができて、防具として要求される衝撃緩衝機能もより高いものとなるという点からも好ましいものである。
【００２１】
そのような中空繊維は、芯鞘型複合繊維の原綿を用いて作ることができるものであり、該複合繊維の芯成分を溶出除去することなどによって生産することができる。
【００２２】
例えば、芯鞘型複合繊維を用いる場合、その鞘成分にはポリアミド系ポリマーを用いて、芯成分にはポリエステル系ポリマーを用いて構成されている複合原綿を用いることができる。そのような例では、鞘成分を構成するポリアミド系ポリマーとしては、ポリヘキサメチレナジパミド（ナイロン６６）やポリε−カプラミド（ナイロン６）からなるポリアミドが好適であるが、セバシン酸、イソフタル酸、パラキシレンギアミドなどを構成成分とするポリアミドあるいはこれらの共重合ポリアミド等を用いてもよい。
【００２３】
該芯成分を構成するポリエステル系ポリマーとしては、染色加工工程にてアルカリ処理を行い溶出除去するということができるので、アルカリに易溶性のポリマーであることが実際的である。かかる易溶性ポリエステルとしては、例えば、スルフォン化芳香族ジカルボン酸変性ポリエステルであり、スルフォン基を有する化合物がポリエステルの連鎖または末端の一部に含まれた変性されたポリエステルを用いることができるものである。より具体的には、ポリエチレンテレフタレートあるいはポリブチレンテレフタレート、あるいはこれらを主成分とする共重合ポリエステルなどにスルフォン化芳香族ジカルボン酸、あるいはその塩を共重合させてなる変性されたポリエステルなどを用いることが好ましいものである。
スルフォン化芳香族ジカルボン酸の代表的なものとしては、５−ナトリウムスルフォイソフタル酸ジメチルが挙げられ、本発明でも好ましいものとして使用することができる。その共重合量は、テレフタル酸に対し３．０モル〜１０モル重量％の範囲であることが好ましい。この共重合量が低すぎると所望の効果が十分に得られ難い場合があり、逆に多すぎると変性ポリエステルの結晶構造が乱れて機械的特性の大幅な低下を招くことになる場合があり、好ましくない。
【００２４】
鞘成分と芯成分の複合割合（繊維断面における面積比率）は、軽量効果の点から重要である。その芯鞘複合割合は、芯成分：鞘成分＝２５：７５〜６０：４０の範囲となるようにするのが好ましい。より好ましくは、芯成分：鞘成分＝３０：７０〜５０：５０の範囲内である。
【００２５】
該複合割合は、中空率と対応する概念であり、中空率は繊維断面積から以下の算式で求まる値である。
【００２６】
中空率（％）＝〔｛芯部（中空部）面積｝／｛芯部（中空部）面積＋鞘部面積｝〕×１００
複合繊維の繊維断面形状は、特に限定されるものではないが、同心円状の芯鞘複合形態が代表的であり、生産上も好ましいが、芯鞘が相対的に偏心しているものや、全体が三角形状、もしくは四角形状などの多角形状や楕円形状のものなどであってもよい。また、芯が、単一の芯でなく多芯状のものでもよい。
【００２７】
該合成繊維は、単繊維繊度１〜１０デシテックス、繊維長２０〜１２０ｍｍの短繊維であって、該短繊維から構成される繊維糸が２９．５〜５９０ｔｅｘ番手（２０〜１英式綿番手）の紡績糸であることが好ましい。繊維糸強度、織布強度などの点で優れた高耐久性のものが実現できるからである。
【００２８】
紡績工程においては、上述の繊維原綿を１００％で使用することが、本発明にかかる防具の本来のねらいである軽量性などの特性を十分に発揮する上でより効果的であるが、本発明においては、該原綿１００％使いのものに限られず、他の原綿との混紡品やあるいはフィラメント糸との精紡交撚（いわゆる長短複合紡績糸）品であっても良い。
【００２９】
この際に、染色加工工程でアルカリ処理による溶出加工に耐え得るため、アルカリに対して耐久性のある素材との組合せを考慮することが実際的である。紡績工程における紡績糸の製造条件は、通常のポリエステルやポリアミド繊維使いの場合と基本的に変わることはない。
【００３０】
また、織物設計の観点からは、該紡績糸をタテ糸およびヨコ糸に使用したり、あるいは、タテ糸のみあるいはヨコ糸のみに使用しても良いものである。
【００３１】
すなわち、他素材との交織、配列などにより特徴のある織物を得ることができるが、前記と同様にアルカリに対して耐久性のある素材との組み合わせを考慮することが実際的である。
【００３２】
製織工程は、通常のスパン織物と同様の工程で行えばよい。使用できる織機は、特に限定されず、エアジェット織機、レピア織機などの革新織機にも十分対応が可能である。
【００３３】
中空繊維を製造するに際して、例えば、芯成分に用いられている変性ポリエステルなどのポリエステル成分を溶出除去するためアルカリ処理を行などの際には、薬剤として苛性アルカリ、例えば、苛性ソーダ、あるいは苛性カリなどを用いればよい。その処理条件は、芯鞘複合比率や布帛を構成する該原料繊維の混用比率などによっても相違するが、一般的には苛性アルカリ濃度は１０〜８０ｇ／リットル、処理温度は８０〜１２０℃の条件を用いればよい。染色はポリアミドやポリエステルなどの合繊染着のための通常用いられてきた染料及び染色条件を採用すればよい。
【００３４】
本発明にかかる防具において、その全体や繊維糸織布部などに対して、各種の機能付与処理をしてもよいものであり、例えば、抗菌加工処理、防臭加工処理、消臭加工処理、防汚加工処理などを施してもよいものである。それらの処理を本発明の防具の構成と併用すれば、ますます従来には見られない高機能の防具を実現できることとなる。
【００３５】
【発明の効果】
請求項１にかかる本発明によれば、全体として大変に軽く携行性に優れているとともに、クリーンケア性においても優れていて、使用者に臭気などによる不快な思いを与えることの少ない剣道具などの防具を実現できたものである。
【００３６】
そのような防具類は、洗濯時には漬け洗いされて行なわれるのが一般的であると考えられるが、本発明にかかる防具においては、漬け洗いし更に陰干しなどしても乾燥に時間がかからないために、頻繁に洗濯をすることができるのであり、この結果、使用者に与える臭気や汚れなどの問題を最小限として、剣道などの本来のスポーツ競技などに集中できる。
【００３７】
請求項２にかかる発明によれば、中空の合成繊維糸を使用しているために、合成繊維糸を用いたという基本的な軽量化特徴に加えて、更に中空部があるために相乗効果的に軽量化を実現できることになるものである。
【００３８】
また、中空繊維を使用しているために、衝撃を該中空繊維の変形などによって吸収することができて、防具として要求される衝撃緩衝機能もより高いものとなるのである。
【００３９】
請求項３にかかる発明によれば、繊維糸強度、織布強度などの点で優れた高耐久性のものが実現できる。
【図面の簡単な説明】
【図１】本発明に係る防具の一実施態様例を示したものであり、剣道具としての「面」をモデル的に示した概略正面図である。
【図２】本発明に係る防具の他の一実施態様例を示したものであり、剣道具としての「小手」をモデル的に示した概略正面図である。
【符号の説明】
１：面
２：チタン金属などによる前面覆い部
３：縁部
４：繊維糸織布部
５：小手
６：手の掌部
７：腕カバー部
【図１】
2005000477.tif 000003
【図２】
2005000477.tif 000004